(57)【要約】【課題】従来技術の欠点を解決できる情報の取得方法およびその方法を実行するハンドヘルド型移動体通信装置を提供する。【解決手段】本発明の情報取得方法は、ハンドヘルド型移動体通信装置がインターネットを通じて遠隔地の情報サーバの情報にアクセスすることによって実行される。本方法は、通信装置に、所定の時間に情報サーバから情報を取得させるステップと、フィルタリング規則に基づいて取得情報をフィルタリングさせるステップと、使用者の設定に基づいて、フィルタリング規則に符合する情報またはフィルタリング規則に符合する情報に関連する通知メッセージを表示させるステップとを含む。上述の方法および装置によって使用者は追加料金を払うことなく利便性を享受でき、更にメールの機密性を確保できる。【選択図】図２
2007215171.tif 000002
【特許請求の範囲】
【請求項１】
インターネットを通じて遠隔地の情報サーバにアクセスするために、ハンドヘルド型移動体通信装置によって実行される情報取得方法であり、
前記方法は、
（Ａ）所定の時間に情報サーバから情報を取得するステップと、
（Ｂ）フィルタリング規則に基づいて取得情報をフィルタリングするステップと、
（Ｃ）使用者の設定に基づいて、フィルタリング規則に符合する情報およびフィルタリング規則に符合する情報に関連する通知メッセージを表示するステップと
を含むことを特徴とする情報取得方法。
【請求項２】
前記情報サーバは、メールサーバであり、前記情報はメールサーバに一時的に保存される電子メールであることを特徴とする請求項１記載の情報取得方法。
【請求項３】
前記フィルタリング規則には、電子メールの送信者、主題およびテキストの中の少なくとも一つの、少なくとも一つのキーワードの検索およびフィルタリングパラメータが定義されることを特徴とする請求項２記載の情報取得方法。
【請求項４】
前記情報サーバは、ウェブサーバであり、前記情報は、ウェブサーバに一時的に保存されるウェブページ情報であり、前記ウェブページ情報はフィルタリング規則に基づいてステップ（Ｂ）でフィルタリングされることを特徴とする請求項１記載の情報取得方法。
【請求項５】
前記フィルタリング規則には、前記ウェブページ情報のソース、作者、主題およびテキストの中の少なくとも一つの、少なくとも一つのキーワードの検索パラメータが定義されることを特徴とする請求項４記載の情報取得方法。
【請求項６】
前記ステップ（Ｃ）において、使用者の設定に基づいて通知メッセージが表示されたとき、着信通知が同時に生成され、使用者に通知メッセージをチェックするように警告することを特徴とする請求項１記載の情報取得方法。
【請求項７】
前記着信通知は、呼出音、バイブレーションまたは目で確認可能な信号であり、着信通知は使用者によってカスタマイズされることを特徴とする請求項６記載の情報取得方法。
【請求項８】
前記ステップ（Ｃ）において、前記通知メッセージは、ハンドヘルド型移動体通信装置のホームページ画面に表示されるメッセージウィンドウであり、前記メッセージウィンドウはフィルタリング規則に符合する情報のソース、主題およびサイズを表示し、前記ホームページ画面には更に“リード”オプションが提供され、使用者によって前記通知メッセージに関連する情報内容の表示を行うかどうかが選択されることを特徴とする請求項６記載の情報取得方法。
【請求項９】
前記メッセージウィンドウは、使用者によってカスタマイズされたウィンドウであることを特徴とする請求項８記載の情報取得方法。
【請求項１０】
前記ステップ（Ｃ）において、フィルタリング規則に符合する情報が使用者の設定に基づいて表示されたとき、前記情報のソース、主題およびサイズも同時に表示されることを特徴とする請求項１記載の情報取得方法。
【請求項１１】
インターネットを通じて遠隔地の情報サーバにアクセスするのに使用されるハンドヘルド型移動体通信装置であって、
前記ハンドヘルド型移動体通信装置は、
前記情報サーバとの通信を行う通信ユニットと、
前記通信ユニットを通じて所定の時間に情報サーバから情報を取得し、フィルタリング規則に基づいて取得情報をフィルタリングし、使用者の設定に基づいて、フィルタリング規則に符合する情報およびフィルタリング規則に符合する情報に関連する通知メッセージを表示する処理ユニットと
を備えることを特徴とするハンドヘルド型移動体通信装置。
【請求項１２】
前記通信ユニットは、ＧＰＲＳ、ＷＣＤＭＡ、ＣＤＭＡ２０００またはＷＩ−ＦＩを含むグループから選択される少なくとも一つの無線通信プロトコルに対応することを特徴とする請求項１１記載のハンドヘルド型移動体通信装置。
【請求項１３】
前記処理ユニットには、前記通信ユニットを通じて情報サーバの情報にアクセス可能なＯＳがロードされることを特徴とする請求項１２記載のハンドヘルド型移動体通信装置。
【請求項１４】
前記処理ユニットによって取得された情報およびフィルタリング規則に符合する情報を一時的に保存するメモリユニットを更に備えることを特徴とする請求項１１記載のハンドヘルド型移動体通信装置。
【請求項１５】
前記処理ユニットは、情報サーバの情報を検索する時間を設定可能なリアルタイムクロックを更に備え、それによって前記処理ユニットは予め決められた時間に起動されて情報サーバの情報を検索することを特徴とする請求項１１記載のハンドヘルド型移動体通信装置。
【請求項１６】
インターネットを通じて前記リアルタイムクロックの時間の自動校正を行う手段を更に備え、それによって前記処理ユニットが情報サーバの情報を検索する時間の正確性が確保されることを特徴とする請求項１５記載のハンドヘルド型移動体通信装置。
【請求項１７】
表示画面を更に備え、前記処理ユニットは、使用者の設定に基づいてフィルタリング規則に符合する情報またはフィルタリング規則に符合する情報に関連する通知メッセージを前記表示画面に表示することを特徴とする請求項１１記載のハンドヘルド型移動体通信装置。
【請求項１８】
前記処理ユニットは、通知メッセージを前記表示画面に表示するのと同時に着信通知を生成し、使用者に通知メッセージをチェックするように警告することを特徴とする請求項１７記載のハンドヘルド型移動体通信装置。
【請求項１９】
前記処理ユニットは、前記表示画面のホームページ画面にメッセージウィンドウの形式で通知メッセージを表示し、前記メッセージウィンドウにはフィルタリング規則に符合する情報のソース、主題およびサイズが表示され、前記ホームページ画面には“リード”オプションが更に提供され、使用者によって通知メッセージに関連する情報内容の表示を行うかどうかが選択されることを特徴とする請求項１８記載のハンドヘルド型移動体通信装置。
【請求項２０】
前記処理ユニットは、使用者の設定に基づいて、フィルタリング規則に符合する情報の表示と同時に、情報のソース、主題およびサイズを表示することを特徴とする請求項１３記載のハンドヘルド型移動体通信装置。
【請求項２１】
適時に情報をハンドヘルド型移動体通信装置に提供するために、遠隔地の情報サーバと電気通信サービスプロバイダとを接続するのに使用される移動体情報サービスの方法であり、前記方法は、
（Ａ）フィルタリング規則に基づいて、情報サーバからフィルタリング規則に符合する情報を検索し、電気通信サービスプロバイダを通じて通知メッセージをハンドヘルド型移動体通信装置に送信するステップと、
（Ｂ）通知メッセージを受信した後、ハンドヘルド型移動体通信装置に情報サーバから通知メッセージに関連する情報をダウンロードさせるステップと
を含むことを特徴とする移動体情報サービスの方法。
【請求項２２】
前記通知メッセージは、ＭＭＳ、ＳＭＳ、ＥＭＳおよびＷＡＰ  Ｐｕｓｈの中から選択されるショートメッセージフォーマットによって送信されることを特徴とする請求項２１記載の移動体情報サービスの方法。
【請求項２３】
前記フィルタリング規則には、電子メールの送信者、主題およびテキストの中の少なくとも一つに対する少なくとも一つのキーワードが設定されることを特徴とする請求項２１記載の移動体情報サービスの方法。
【請求項２４】
適時に情報をハンドヘルド型移動体通信装置に提供するために、遠隔地の情報サーバと電気通信サービスプロバイダとを接続するのに使用される移動体情報サービス装置であり、前記移動体情報サービス装置は、
情報サーバおよび電気通信サービスプロバイダに接続される通信ユニットと、
フィルタリング規則に基づき、前記通信ユニットを通じて情報サーバからフィルタリング規則に符合する情報を検索し、前記電気通信サービスプロバイダと接続された前記通信ユニットを通じてハンドヘルド型移動体通信装置に送信される通知メッセージを生成する処理ユニットと
を備えることを特徴とする移動体情報サービス装置。
【請求項２５】
前記通信ユニットは、イーサネット（登録商標）モジュールおよびＧＳＭモジュールを備え、前記イーサネット（登録商標）モジュールは情報サーバに接続するのに使用され、前記ＧＳＭモジュールは電気通信サービスプロバイダとコミュニケーションを行うために使用され、それによってハンドヘルド型移動体通信装置に通知メッセージが送られることを特徴とする請求項２４記載の移動体情報サービス装置。
【請求項２６】
前記通信ユニットは、イーサネット（登録商標）モジュールを備え、前記イーサネット（登録商標）モジュールは、情報を取得するために情報サーバへの接続に使用され、更に、電気通信サービスプロバイダを通じて通知メッセージをハンドヘルド型移動体通信装置に送信するためにインターネットを通じて電気通信サービスプロバイダと接続するのに使用されることを特徴とする請求項２４記載の移動体情報サービス装置。
【請求項２７】
情報サーバによって提供される情報を適時に取得するために、情報サーバと電気通信サービスプロバイダとを接続するのに使用される移動体通信サービスシステムであり、前記移動体情報サービスシステムは、
情報サーバおよび電気通信サービスプロバイダに接続されるのに使用されるハンドヘルド型移動体通信装置と、
情報サーバおよび電気通信サービスプロバイダに接続されるのに使用され、フィルタリング規則に基づき、情報サーバからフィルタリング規則に符合する情報を検索した後、電気通信サービスプロバイダを通じて通知メッセージを前記ハンドヘルド型移動体通信装置に送信し、ハンドヘルド型移動体通信装置は通知メッセージに基づき、情報サーバから通知メッセージに関連する情報をダウンロードする移動体情報サービス装置と
を備えることを特徴とする移動体情報サービスシステム。
【請求項２８】
前記情報サーバは、電子メールサーバであり、前記情報は、前記電子メールサーバに一時的に保存された電子メールであることを特徴とする請求項２７記載の移動体情報サービスシステム。
【請求項２９】
前記通知メッセージは、ＭＭＳ、ＳＭＳおよびＥＭＳの中から選択されるショートメッセージフォーマットによって送信されることを特徴とする請求項２７記載の移動体情報サービスシステム。
【請求項３０】
前記ハンドヘルド型移動体通信装置は、少なくともＧＰＲＳまたはＷＩ−ＦＩ機能を備えるスマートフォンであることを特徴とする請求項２７記載の移動体情報サービスシステム。
【請求項３１】
前記情報サーバは、ＲＳＳ伝送システムがロードされたウェブページサーバであり、前記情報は、前記ウェブページサーバに一時的に保存されたウェブページ情報であり、前記移動体情報サービス装置にはＲＳＳ伝送システムを通じて情報サーバから送られたウェブページ情報を読むのに使用されるＲＳＳリーダソフトウェアがインストールされ、フィルタリング規則に基づいてウェブページ情報のフィルタリングを行い、適時に通知メッセージを前記ハンドヘルド型移動体通信装置に送ることを特徴とする請求項２７記載の移動体情報サービスシステム。
【請求項３２】
前記ハンドヘルド型移動体通信装置には、ＲＳＳ伝送システムを通じて情報サーバから送られたウェブページ情報を読むのに使用されるＲＳＳリーダソフトウェアがインストールされ、前記ハンドヘルド型移動体通信装置が通知メッセージを受信し、前記ハンドヘルド型移動体通信装置の使用者が前記通知メッセージに関連するウェブページ情報を読むことを決定したとき、ＲＳＳリーダソフトウェアは起動され、情報サーバからの前記通知メッセージに関連するウェブページ情報の読み取りを行うことを特徴とする請求項３１記載の移動体情報サービスシステム。
【請求項３３】
前記ハンドヘルド型移動体通信装置が通知メッセージを受信したとき、前記ハンドヘルド型移動体通信装置のホームページ画面にカスタマイズされたメッセージウィンドウが開いてメールの送信者、主題およびサイズの中の少なくとも一つを表示し、“最初のページをダウンロード”オプションおよび“全てをダウンロード”オプションが提供され、使用者によってそれらが選択され、メールの内容がダウンロードされることを特徴とする請求項２８記載の移動体情報サービスシステム。
【請求項３４】
前記ハンドヘルド型移動体通信装置が通知メッセージを受信したとき、前記ハンドヘルド型移動体通信装置は自動的に情報サーバからの通知メッセージに関連する電子メールのテキストをダウンロードし、ホームページ画面にカスタマイズされたメッセージウィンドウが開いて電子メールの送信者、主題およびサイズの中の少なくとも一つを表示することを特徴とする請求項２８記載の移動体情報サービスシステム。
【発明の詳細な説明】
【技術分野】
【０００１】
本発明は移動体情報提供方法に関し、特にハンドヘルド型移動体通信装置によって実行される情報取得方法に関する。
【背景技術】
【０００２】
インターネットおよび無線通信技術が急速に発展するこの時代において、携帯電話を利用してＥメールの送受信を行うことは最新の情報を得るための一方法となっている。Ｅメールの受信を容易にし、スパンメールをブロックするために多くの電気通信サービスプロバイダがプッシュメールサービスを提供しており、現在、プッシュメールは話題となっている。
【０００３】
プッシュメールは使用者がメールサーバにおいて受信されるメールの主題または受信されるメールの送信者などの関連する規則または条件を設定した後、メールサーバによって受信したＥメールの内容が設定した規則に符合する場合、メールサーバが自動的にそのメールのバックアップコピーを携帯電話またはパーソナルコンピュータなどの使用者の装置に送信する。それによって使用者はインターネット接続、登録アカウントおよびパスワード入力などの煩雑な作業を行うことなく最新のＥメールを受信できる。
【０００４】
図１はカナダのＲＩＭ（Research In Motion）社がプッシュメール技術を使用して開発したプッシュメールサービスシステムを示す。このシステムでは、上述の会社と提携関係を持つ電気通信プロバイダ１０と接続されたプッシュメールサーバ２０および複数のメールサーバ３０（一つだけを例示する）が提供される。使用者が電気通信プロバイダ１０からプッシュメールサービスを購入し、使用者の携帯電話４０にプッシュメールサーバ２０に対応するソフトウェアがロードされるか、或いは使用者がＲＩＭ社から提供される電子装置を使用する場合、使用者はプッシュメールサーバ２０に接続でき、パーソナルコンピュータ５０を通じて携帯電話４０によって受信されるメールの主題またはメールの送信者などの項目の設定を行うことができる。その後はプッシュメールサーバ２０が使用者によって設定された規則に基づき、プッシュメールサーバ２０のＥメールのチェックおよび検査を定期的に行い、使用者が設定した規則に符合するＥメールメッセージを使用者の携帯電話４０が受信するのに適する特定のフォーマットに変換し、それを電気通信サービスプロバイダ１０を通じて使用者の携帯電話４０に送信する。
【０００５】
しかしながら、上述のプッシュメールサービスシステムにおいては下記の問題が存在する。
１  プッシュメールサービスのプロバイダはプッシュメールサーバ２０のメンテナンスを行うために人力および時間資源に多大な投資を行う必要がある。
２  使用者がプッシュメールサービスを使用する場合、プッシュメールサーバ２０のプロバイダに追加料金を払う必要がある。
３  使用者のＥメールは使用者の携帯電話４０に送信される前にプッシュメールサーバ２０によって受信および検査が行われ、プッシュメールサーバ２０によって適するフォーマットに変換されるので、メール流出の危険がある。
【０００６】
従って、如何に上述の問題を回避しながらプッシュメールサービスを提供するかが本発明における重点となっている。
【特許文献１】特開２００５−２０４０５７号公報
【発明の開示】
【発明が解決しようとする課題】
【０００７】
本発明の第１の目的は、上述の従来技術の欠点を解決できる情報の取得方法およびその方法を実行するハンドヘルド型移動体通信装置を提供することにある。
本発明の第２の目的は、移動体通信サービス方法およびその方法を実行するシステムを提供することにある。
【課題を解決するための手段】
【０００８】
上述の課題を解決するために、本発明の情報取得方法は、インターネットを通じて遠隔地の情報サーバにアクセスするために、ハンドヘルド型移動体通信装置によって実行される。その方法は、（Ａ）所定の時間に情報サーバから情報を取得するステップと、（Ｂ）フィルタリング規則に基づいて取得情報をフィルタリングするステップと、（Ｃ）使用者の設定に基づいて、フィルタリング規則に符合する情報またはフィルタリング規則に符合する情報に関連する通知メッセージを表示するステップとを含む。
【０００９】
本発明のハンドヘルド型移動体通信装置は、インターネットを通じて遠隔地の情報サーバにアクセスするのに使用される。ハンドヘルド型移動体通信装置は、情報サーバとの通信を行う通信ユニットと、通信ユニットを通じて所定の時間に情報サーバから情報を取得し、フィルタリング規則に基づいて取得情報をフィルタリングし、使用者の設定に基づいて、フィルタリング規則に符合する情報またはフィルタリング規則に符合する情報に関連する通知メッセージを表示する処理ユニットとを備える。
【００１０】
本発明の移動体情報サービスの方法は、適時に情報をハンドヘルド型移動体通信装置に提供するために、遠隔地の情報サーバと電気通信サービスプロバイダとを接続するのに使用される。本方法は、（Ａ）フィルタリング規則に基づいて、情報サーバからフィルタリング規則に符合する情報を検索し、電気通信サービスプロバイダを通じて通知メッセージをハンドヘルド型移動体通信装置に送信するステップと、（Ｂ）通知メッセージを受信した後、ハンドヘルド型移動体通信装置に情報サーバから通知メッセージに関連する情報をダウンロードさせるステップとを含む。
【００１１】
上述の方法を実行する移動体情報サービス装置は、適時に情報をハンドヘルド型移動体通信装置に提供するために、遠隔地の情報サーバと電気通信サービスプロバイダとを接続するのに使用される。移動体情報サービス装置は、通信ユニットおよび処理ユニットを備える。通信ユニットは情報サーバおよび電気通信サービスプロバイダに接続される。処理ユニットはフィルタリング規則に基づき、通信ユニットを通じて情報サーバからフィルタリング規則に符合する情報を検索し、電気通信サービスプロバイダと接続された通信ユニットを通じてハンドヘルド型移動体通信装置に送信される通知メッセージを生成する。
【００１２】
上述の方法を実行する移動体通信サービスシステムは、情報サーバによって提供される情報を適時に取得するために、情報サーバと電気通信サービスプロバイダとを接続するのに使用される。移動体情報サービスシステムはハンドヘルド型移動体通信装置および移動体情報サービス装置を備える。ハンドヘルド型移動体通信装置は、情報サーバおよび電気通信サービスプロバイダに接続される。移動体情報サービス装置は情報サーバおよび電気通信サービスプロバイダに接続され、フィルタリング規則に基づき、情報サーバからフィルタリング規則に符合する情報を検索し、続いて電気通信サービスプロバイダを通じて通知メッセージをハンドヘルド型移動体通信装置に送信し、ハンドヘルド型移動体通信装置は、通知メッセージに基づき、情報サーバから通知メッセージに関連する情報をダウンロードすることができる。
【発明の効果】
【００１３】
使用者端において移動体情報サービス装置が提供され、使用者が移動体情報サービス装置のフィルタリング規則を設定できることによって、移動体情報サービス装置は情報サーバの使用者が設定したフィルタリング規則に符合する情報を検索し、電気通信サービスプロバイダを通じて通知メッセージをハンドヘルド型移動体通信装置に送信することによって、ハンドヘルド型移動体通信装置は、通知メッセージを受信した後、使用者が必要な情報をダウンロードすることができ、ハンドヘルド型移動体通信装置は必要でない情報を受信しないだけでなく、ダウンロードに掛かる経費を節約できる。更に、移動体情報サービス装置が情報を検査するとき、情報の最初の部分または一部分だけを取得し、情報全体をダウンロードしない。即ち、実際の情報内容は移動体情報サービス装置を通過しないので、情報の完全性および機密性が確保される。
【発明を実施するための最良の形態】
【００１４】
図２、３に示すように、本発明のハンドヘルド式移動体通信装置２１は、情報サーバ３１の情報にアクセスするために、インターネットを通じて様々な遠隔地の移動体情報サーバ３１（一つだけ例示する）に接続される。
【００１５】
ここでの情報サーバ３１は既存のＥｘｃｈａｎｇｅ  Ｍａｉｌ  Ｓｅｒｖｅｒ、ＰＯＰ３／ＳＭＴＰメールサーバ、Ｇｍａｉｌ（Google mail）サーバおよびＩＢＭ社によって開発されたｉＮｏｔｅメールサーバなどのメールサーバである。また、ここでのハンドヘルド型移動体通信装置２１は、例えばＧＰＲＳ（General Packet Radio Service）、ＷＣＤＭＡ（Wideband Code Division Multiple Access）、ＣＤＭＡ２０００またはＷｉ−Ｆｉといった無線通信プロトコルに対応の携帯電話またはＰＤＡ電話などのネットワークアクセス機能を備えたスマートフォンであり、更にＷｉｎ  ＣＥ５．０といった情報のダウンロードおよび読み取り機能を実行可能なＯＳを備える。
【００１６】
図３に示すように、ハンドヘルド型移動体通信装置２１は従来技術によるハードウェア構造を備え、通信ユニット２３、処理ユニット２４、リアルタイムクロック２５およびメモリユニット２６を備える。本発明は従来技術によるハンドヘルド型移動体通信装置２１によって実行することができ、そのためにハードウェアの変更は行わない。
【００１７】
通信ユニット２３は、例えばＧＰＲＳ、ＷＣＤＭＡ、ＣＤＭＡ  ２０００またはＷｉ−Ｆｉのプロトコルといったインターネットベースに接続され、情報サーバ３１との無線通信を行う。リアルタイムクロック２５は時間情報を提供する。ハンドヘルド型移動体通信装置２１の独立した電源（図示せず）がリアルタイムクロック２５に電源を供給し、ハンドヘルド型移動体通信装置２１が電源オフ状態でもリアルタイムクロック２５は作動することができる。
【００１８】
処理ユニット２４は、音声通信を実行できるだけでなく、使用者が入力したフィルタリング規則を受信できる。処理ユニット２４は予め決定されたフィルタリング規則に基づいて情報サーバ３１から受信したメールのフィルタリングを行う。新しいメールがフィルタリング規則を通過したとき、処理ユニットは使用者に通知する。また、ハンドヘルド型移動体通信装置２１には上述の構成を制御できる専用の携帯メールアプリケーションプログラムがロードされ、下記のステップを実行する。
【００１９】
アプリケーションプログラムによって使用者はＥメールチェックの時間を設定することができる。アプリケーションプログラムは処理ユニット２４を駆動し、リアルタイムクロック２５のタイミングに基づいた設定時間に情報サーバ３１のＥメールにアクセスする。
【００２０】
図４のステップ４１に示すように、移動体通信装置２１が待機モードのとき、アプリケーションプログラムはＥメールのチェック時間が来るまでプロセスユニット２４を駆動して情報サーバ３１のＥメールにアクセスすることはない。時間が来たとき、ステップ４２に示すように、処理ユニット２４は通信ユニット２３を通じて情報サーバ３１からＥメールをダウンロードし、メモリユニット２６に保存する。その後、ステップ４３に示すように、使用者によって予め設定されたフィルタリング規則に基づいて、受信したメールの送信者、主題または内容などのデータが検査され、不必要なＥメールが排除され、予め設定されたフィルタリング規則を含むＥメールがメモリユニット２６に残される。
【００２１】
その後、予め使用者によってなされた設定に基づき、通知を使用者に送信して警告を行うかどうかの決定を行うためにステップ４４が行われる。つまり、使用者の設定が使用者がメールを読むかどうかの決定をする前に通知を出すというものである場合、ステップ４５が実行され、通知が生成されてハンドヘルド型移動体通信装置２１の画面に表示され、使用者に新しいＥメールの受信を通知する。その後、ステップ４６において、処理ユニット２４は使用者がメールを読む命令を出すのを待ち、その後、ステップ４７を行ってメモリユニット２６からメールを読み取り、ハンドヘルド型移動体通信装置２１の画面に表示する。反対に、ステップ４４における使用者の予めなされた設定がメールを直接読むという設定の場合、通知は出されず、ステップ４７まで飛び、処理ユニット２４が直接メモリユニット２６からメールを読み取り、画面に表示する。
【００２２】
上述の説明はアプリケーションプログラムを簡単に描写したものである。ハンドヘルド型移動体通信装置２１の詳細な使用方法および作業工程を下記に示す。
【００２３】
図２において、ハンドヘルド型移動体通信装置２１の携帯メール機能が使用される前には、パーソナルコンピュータ３２を通じてハンドヘルド型移動体通信装置２１に関する初期化処理を行う必要がある。
【００２４】
図５のステップ５１において、初期化処理を行う前に、パーソナルコンピュータ３２は、パーソナルコンピュータ３２を通じてのハンドヘルド型移動体通信装置２１へのアクセスを許可するソフトウェア（例えば、Active Sync）がハンドヘルド型移動体通信装置２１にインストールされているかを検査できる。
【００２５】
ソフトウェアの存在を確認した後、ステップ５２において、パーソナルコンピュータ３２はハンドヘルド型移動体通信装置２１がパーソナルコンピュータ３２に接続されているかどうか検査する。接続されている場合、ステップ５３へと進み、図６に示す“Ｅメールアカウントのセットアップ”という画面をパーソナルコンピュータ３２の画面に表示する。パーソナルコンピュータ３２画面のテキストボックスの上部においては使用者が選択可能なメールハンドラ（例えば、outlook、または、outlook expressなど）のメールサーバアカウント情報（プロファイル１名称、プロファイル２名称、James Wu Hinetなど）が表示され、画面のテキストボックスの下部に追加して検索するメールサーバの設定を行う。
【００２６】
同時に“追加”、“編集”、“消去”などのコマンドボタンが画面の下部に表示される。使用者が“追加”のコマンドボタンを選択したとき、図７に示すような“新規アカウントの追加”という画面が現れ、使用者が選択可能な例えばＰＯＰ３、Ｅｘｃｈａｎｇｅ、ｉＮｏｔｅおよびＧｍａｉｌなどのメールサーバアカウントが一覧表示される。使用者が“ＰＯＰ３”を選択したとき、画面には図８に示すような“ＰＯＰ３アカウントの追加”という画面が表示され、使用者はサーバアドレス、ユーザーアカウントおよびパスワードなどのメールサーバ（着信メールサーバＰＯＰ３および送信メールサーバＳＭＴＰ）の関連情報を設定できる。図７において、使用者が“ｉＮｏｔｅ”または“Ｇｍａｉｌ”を選択したとき、図９に示すような“ｉＮｏｔｅアカウントの追加”または図１０に示すような“Ｇｏｏｇｌｅ  Ｍａｉｌアカウントの追加”という画面が現れ、使用者はメールアカウントおよびパスワードまたはメールアドレス（ｉＮｏｔｅ）などの情報を入力できる。使用者がそれらの情報を入力し、“ＯＫ”ボタンをクリックした後、パーソナルコンピュータ３２は新たに加えられたメールアカウントの検索を継続する前に、使用者によって入力されたデータの精度を検査する。メールアカウントを捜し出した後、メールアカウントは図６に示す画面の下部のテキストボックスに加えられる。使用者は図６に示す“編集”または“消去”を選択してメールアカウントデータの編集またはメールアカウントの消去を行うことができる。
【００２７】
使用者が“Ｅメールアカウントのセットアップ”画面でメールアカウントを設定し、“Ｎｅｘｔ”コマンドボタンを選択した後、ステップ５４において、図１１に示すように、画面に “メールフィルタのセットアップ”という画面が表示され、使用者はフィルタリング規則の設定を行うことができる。使用者は一つまたはそれ以上のキーワードを画面の“キーワード”ボックスに入力し、“送信者”または“主題”のオプションボタンを選択して入力したキーワードをＥメールメッセージの送信者または主題に関連付けることができる。“追加”ボタンをクリックすることによって、キーワードを画面下部のフィルタリング規則ボックスに加えることができる。セットアップデータは処理ユニット２４に記録される。設定が完了した後、ステップ５５において、パーソナルコンピュータ３２はハンドヘルド型移動体通信装置２１に関するソフトウェアのインストール処理を行い、携帯メールサービスを実行するためのその他のアプリケーションプログラムをハンドヘルド型移動体通信装置２１にインストールする。インストール後、ハンドヘルド型移動体通信装置２１は携帯メール機能を備える。
【００２８】
従って、図１２に示すように、ハンドヘルド型移動体通信装置２１の処理ユニット２４が情報サーバ３１のメールをチェックし、フィルタリング規則に符合するメールを捜し出すとき、着信通知が生成され、使用者にハンドヘルド型移動体通信装置２１のチェックを行うように通知する。着信通知は呼出音またはバイブレーションである。更に、図１２に示すように、星型アイコン１２０などの目で確認可能な着信通知がハンドヘルド型移動体通信装置２１のホームページ画面に表示される。使用者はアイコン１２０を編集できるだけでなく、着信通知の形状のカスタマイズまたは編集を行うことができる。従って、使用者が星型アイコン１２０をクリックしたとき、メッセージウィンドウ１２１がホームページ画面の下部に開き、メールの送信者、メールの主題およびメールのサイズを含むメール通知メッセージを表示する。同時に“リード”ボタン１２４がホームページ画面の底部に現れ、使用者は“リード”ボタン１２４を押すことでメールのテキストを読みことができる。更に、いくつかのハンドヘルド型移動体通信装置２１からの通知があるとき、通知メッセージの数がメッセージウィンドウ１２１の右上部に現れ、左右の矢印１２２、１２３が提供され、使用者は読みたい通知メッセージを選択して読むことができる。
【００２９】
メッセージウィンドウ１２１はカスタマイズされたメッセージウィンドウとすることができ、使用者はメッセージウィンドウの設定を編集することができる。
【００３０】
更に、予め通知を送るように環境設定されるのとは別に、ハンドヘルド型移動体通信装置２１は送信者、主題およびサイズを含むメールのテキスト（内容）を自動的に表示するように設定することもでき、フィルタリング規則に符合するメールを取得する。
【００３１】
また、処理ユニット２４がメールの全体または一部をダウンロード（メールサイズによって異なる）した後、メール全体がダウンロードされなかったり、添付ファイルがあったりする場合、図１３に示すように、ハンドヘルド型移動体通信装置２１の画面にメールが表示されたとき、“メールの残りをダウンロード”というオプションボタンが画面の下部に現れ、使用者はメールの残りのダウンロードを選択的に行うことができる。
【００３２】
図１４に示すように、仮想ボタン１４１がハンドヘルド型移動体通信装置２１のホームページ画面の右下角に提供される。仮想ボタン１４１をクリックすると、“メールチェックを即座に行う”、“スケジュール”、“フィルタ”、“メール検索”および“アカウントのセットアップ”という選択肢を含むメニュ１４２が表示される。使用者が“メールチェックを即座に行う”をクリックしたとき、処理ユニット２４が起動され、情報サーバ３１からフィルタリング規則に符合するメールを検索し、図１２に示すように、検索結果を画面に表示する。“スケジュール”オプションがクリックされたとき、ハンドヘルド型移動体通信装置２１の画面には図１５に示すように“セットアップ”ページを表示し、使用者は、“セットアップ”ページから処理ユニット２４のメールのチェック時間を設定でき、アプリケーションプログラムが処理ユニット２４を起動して設定時間に基づいた時間に情報サーバ３１のメールデータを検索することができる。
【００３３】
更に、処理ユニット２４がデータ検索を行う日付および時間の正確性を確保するために、ハンドヘルド型移動体通信装置２１は予め決定された時間にインターネットのクロックサーバと接続され、リアルタイムクロック２５の時間の自動校正が行われる。
【００３４】
使用者が図１４に示す画面のメニュ１４２ の“フィルタ”オプションを選択したとき、図１６に示すように“携帯メールフィルタ”が表示され、メニュ１６１に“キーワードの追加”および“キーワードの消去”というオプションを含む本来のフィルタリング規則設定が表示され、図１７に示すように使用者は検索するキーワードの追加および消去を選択できる。
【００３５】
使用者が図１４に示す画面のメニュ１４２の“メール検索”オプションを選択したとき、図１８に示すように“メール検索”画面が現れ、使用者はメールアカウント、送信者または主題など検索パラメータを入力することができる。ハンドヘルド型移動体通信装置２１の処理ユニット２４は即座に情報サーバ３１にアクセスし、検索パラメータに基づくＥメールを検索し、検索結果を図１２に示すように表示する。
【００３６】
使用者が図１４に示す画面のメニュ１４２の“アカウントのセットアップ”オプションを選択したとき、図１９に示すように“メールアカウント”が現れ、現在のメールアカウント設定が表示される。同時に、画面の底部に“追加”および“消去”というオプションボタンが表示され、使用者はメールアカウントの追加および消去を選択できる。使用者が“追加”オプションを選択したとき、図２０に示すように“メールアカウントのセットアップ”という画面が現れ、使用者は、ＰＯＰ３、Ｅｘｃｈａｎｇｅ、ｉＮｏｔｅまたはＧｍａｉｌといったアカウントタイプを選択することができる。
使用者によって選択されたアカウントタイプがＰＯＰ３またはＧｍａｉｌの場合、図２１、２２に示す画面がそれぞれ連続して現れ、使用者は使用者のアカウント番号、パスワードまたはサーバアドレスの入力などの関連情報の設定を行うことができる。その後、新規アカウントを加えるために、使用者によって入力されたデータの確認を行う図２３に示す画面が現れる。使用者によって選択されたアカウントタイプがＥｘｃｈａｎｇｅまたはｉＮｏｔｅの場合、図２４に示す画面が現れ、使用者は関連情報の入力を行うことができ、図２３に示す新規メールアカウントを加えるチェック処理が行われる。
【００３７】
ハンドヘルド型移動体通信装置２１が最初の使用での初期化処理を実行した後、使用者がパーソナルコンピュータ３２を通じてハンドヘルド型移動体通信装置２１の設定を変更したい場合、ハンドヘルド型移動体通信装置２１をパーソナルコンピュータ３２に接続し、パーソナルコンピュータ３２には、 “フィルタ”、“メールアカウント”、“メールチェックスケジュール”および“バックアップ／セーブ”というオプションメニュが表示され、使用者は選択を行うことができる。“フィルタ”、“メールアカウント”および“メールチェックスケジュール”の設定の工程は上述の説明（図１５、１６、１７、１９、２０、２１、２２、２３、２４を参照）と同一であるのでここでは説明を行わない。
【００３８】
“バックアップ／セーブ”オプションによって使用者はパーソナルコンピュータ３２にセットアップデータを保存することができ、ハンドヘルド型移動体通信装置２１のオリジナルセットアップデータが破損した場合、パーソナルコンピュータ３２に保存されたパックアップコピーを使用してハンドヘルド型移動体通信装置２１の破損したデータを上書きすることができる。
【００３９】
更に、本実施例におけるハンドヘルド型移動体通信装置２１は、Ｅメールを検査できるだけでなく、情報サーバ３１から提供されるウェブページ情報も検査できる。ここで参照される情報サーバ３１は、様々なブログから発行される記事または様々なウェブサイト（例えば、Yahoo news）から提供されるニュースを供給することができるウェブサーバである。
【００４０】
上述の方法と同一の方法で、ハンドヘルド型移動体通信装置２１の処理ユニット２４は予め決定された時間に情報サーバ３１に行ってウェブ情報を検索することができ、処理ユニット２４のフィルタに設定されたフィルタリング規則（ウェブページソースに関するキーワード、主題およびテキストなど）に基づいて使用者が関心のあるウェブ情報のフィルタリングを行うことができ、通知を出して使用者にフィルタリングされたウェブページ情報を読むように警告するか、或いは使用者が関心のあるウェブページ情報を直接表示し、使用者はハイパーリンクを通じてウェブページに提供された情報をブラウズする。
【００４１】
本実施例のハンドヘルド型移動体通信装置２１においてフィルタリング規則を設定することにより、ハンドヘルド型移動体通信装置２１は使用者によって設定されるフィルタリング規則に符合する情報サーバ３１の情報を検索することができ、そのとき、通知を出して使用者にフィルタリングされた情報を読むようにアドバイスを行う。このようにして使用者はハンドヘルド型移動体通信装置２１を通じて必要ない情報を受信することがなく、情報の検索において、第三者を経由させる必要がなく、追加的な電気通信サービス料の支払いを求められることがない。更に、情報の完全性および保守性は保証される。このようにして本発明の効果および目的が達成される。
【００４２】
また、図２６に示すように、本発明の好適な実施例における移動体情報サービス装置６１は、電気通信サービスプロバイダ８２を通じて特定のメッセージをハンドヘルド型移動体通信装置６２に送信するために、複数の移動体情報サーバ８１（一つだけを例示）および複数の電気通信サービスプロバイダ８２（一つだけを例示）に接続され、それによってハンドヘルド型移動体通信装置６２は情報サーバ８１から提供される情報を選択的に取得することができる。
【００４３】
情報サーバ８１は既存のＥｘｃｈａｎｇｅ  Ｍａｉｌ  ＳｅｒｖｅｒまたはＰＯＰ３／ＳＭＴＰメールサーバなどのメールサーバとすることができる。電気通信サービスプロバイダ８２はＡＴ＆Ｔ、ＳｐｒｉｎｔまたはＣｉｎｇｕｌａｒなどとすることができる。ハンドヘルド型移動体通信装置６２は、例えばＧＰＲＳ（General Packet Radio Service）またはＷｉ−Ｆｉといったネットワークアクセス機能を備えたスマートフォンであり、更にＷｉｎ  ＣＥ５．０といった情報のダウンロードおよび読み取り機能を実行可能なＯＳを備える。
【００４４】
ハンドヘルド型移動通信装置６２は、移動体情報サービスシステムとして、或いはそれとは独立して、移動体情報サービス装置６１と共に販売することができ、移動体情報サービス装置６１から提供されるプッシュメールサービスを使用する場合、使用者は移動体情報サービス装置６１を購入し、移動体情報サービス装置６１と互換性のあるソフトウェアプログラムを使用者のハンドヘルド型移動体通信装置６２にインストールするだけでよい。
【００４５】
遠隔地端で提供される従来技術による携帯メールサーバ２０と対照的に、本実施例の移動体情報サービス装置６１は使用者の自宅またはオフィスなどの使用者端で提供される。
【００４６】
図２７に示すように、移動体情報サービス装置６１は通信ユニット７３、処理ユニット７４、リアルタイムクロック７５およびメモリユニット７６を備えるハードウェアアーキテクチャを備える。
【００４７】
通信ユニット７３はイーサネット（登録商標）モジュール７７および電気通信モジュール７８を備える。イーサネット（登録商標）モジュール７７はインターネット（例えばＡＤＳＬモデムを使用して）を通じて情報サーバ８１にリンクすることができる。電気通信モジュール７８（例えばＧＳＭモジュール）は、電気通信サービスプロバイダ８２とコミュニケーションを行うために、電気通信ネットワークに接続するのに使用される。
【００４８】
処理ユニット７４は、情報サーバ８１の使用者が関心のある情報を検索し、使用者によって予め設定された規則に基づいて使用者に通知することができる。
【００４９】
リアルタイムクロック７５は、使用者の設定に基づく予め決定された時間に処理ユニット７４を起動することができる。
【００５０】
下記に移動体情報サービス装置６１の原理を示す。
【００５１】
図２８のステップ２８１において、処理ユニット７４がリアルタイムクロック７５によって起動されたとき、処理ユニット７４は通信ユニット７３のイーサネット（登録商標）モジュール７７を通じて情報サーバ８１からデータを検索し、例えば使用者へのＥメールがあるかどうか判定し、受信したＥメールの例えば送信者、主題およびＥメールの内容などのデータの一部を取得する。その後、ステップ２８２において、使用者によって予め設定されたフィルタリング規則に基づいて、規則に符合するデータが取得されたデータ部分から検査される。ステップ２８３において、規則に符合するデータはメモリユニット７６に一時的に保存され、ステップ２８４が実行され、ここで、フィルタリング規則に符合するデータを含むメッセージ（例えばＳＭＳメッセージ、ＭＭＳメッセージ、ＥＭＳメッセージまたはＷＡＰプッシュメッセージなど、ハンドヘルド型移動体通信装置６２の機能による）は、通信ユニット７３および電気通信サービスプロバイダ８２の電気通信装置７８を通じて使用者のハンドヘルド型移動体通信装置６２に送信され、ハンドヘルド型移動体通信装置６２に情報サーバ８１からの必要とされたＥメールの検索を通知する。
【００５２】
更に、移動体情報サービス装置６１の通信ユニット７３は電気通信モジュール７８がなくてもよく、データを取得するために、イーサネット（登録商標）モジュール７７を利用して情報サーバ８１に接続する代わりに、インターネットを通じて電気通信サービスプロバイダ８２に接続し、電気通信サービスプロバイダ８２を通じてハンドヘルド型移動体通信装置６２に通知メッセージを転送することができる。
【００５３】
更に、本実施例の移動体情報サービス装置６１はＩＰルータ（access point）に統合することができ、即ち、ワイヤレスアクセスモジュール（図示せず）を移動体情報サービス装置６１に加えればよい。これがＩＰルーターの接続ポートを使用することはなく、スペースを効率的に利用することができる。
【００５４】
移動体情報サービス装置６１およびハンドヘルド型移動体通信装置６２の使用方法および操作工程を下記に示す。
【００５５】
図２９に示すように、使用者が移動体情報サービス装置６１から提供されるプッシュメールサービスを使用したいとき、移動体情報サービス装置６１が会社のオフィスで提供されている場合、移動体情報サービス装置６１が会社の管理情報装置（ＭＩＳ）のパーソナルコンピュータ８３（図２６を参照）に接続（移動体情報サービス装置６１のＬＡＮポートなどを通じて）された後、ＭＩＳ人事課は、パーソナルコンピュータ８３から移動体情報サービス装置６１のＩＰアドレスまたはドメインネームを入力することによって、移動体情報サービス装置６１を捜し出すことができる。接続した後、図３０に示すインターネットエクスプローラ（ＩＥ）画面のようなウェブブラウザ画面がパーソナルコンピュータ８３に現れ、移動体情報サービス装置６１の使用者に示すウィンドウが現れる。その後、ＭＩＳ人事課が画面上の“追加”ボタンをクリックした後、図３１に示す“新規アカウントを追加”画面が表示され、ＭＩＳ人事課は使用者のデータ（名前、携帯電話番号およびパスワードなど）を入力する。画面上の“追加”ボタンを押すことによって新規使用者が移動体情報サービス装置６１（即ち、処理ユニット７４）に設定される。
【００５６】
ＭＩＳ人事課が移動体情報サービス装置６１に新規使用者を設定した後、移動体情報サービス装置６１およびハンドヘルド型移動体通信装置６２は一回目の使用に際して初期化処理を行う必要がある。
【００５７】
従って、図３２のステップ３２１において、移動体情報サービス装置６１とパーソナルコンピュータ８３が接続された状況の下、先ず、パーソナルコンピュータ８３がハンドヘルド型移動体通信装置６２とパーソナルコンピュータ８３とを接続させるソフトウェア（例えばＡｃｔｉｖｅ  ｓｙｎソフトウェア）がインストールされているかを検査する。インストールされている場合、ステップ３２２へと進み、パーソナルコンピュータ８３がハンドヘルド型移動体通信装置６２がパーソナルコンピュータ８３に接続されているか検査する。接続されている場合、図３２のステップ３２３、３２４、３２５において、移動体情報サービス装置６１（エリアネットワーク放送を通じてなどして）を検索する検索処理が行われる。
移動体情報サービス装置６１が見つかった場合、ステップ３２６において、会社で多くの移動体情報サービス装置６１（例えば、Router1、Router２、および、Router３）が同時に使用されているかもしれないので、複数の捜し出された移動体情報サービス装置６１がパーソナルコンピュータ８３の画面に表示される。
ハンドヘルド型移動体通信装置６２の使用者は使用する移動体情報サービス装置６１（例えば、Router１）を選択し、使用者のアカウント番号およびパスワードを入力する。“次”ボタンを押した後、図３３に示す“メールアカウントのセットアップ”画面が表示される。画面の上部ウィンドウには内部メール取扱者（例えば、Outlook、または、Outlook Express）のメールサーバアカウント情報（プロファイル１名称、プロファイル２名称、James Wu Hinetなど）が使用者によって選択され、画面の下方ウィンドウに加えられ、検索するメールサーバが選択される。
【００５８】
その後、使用者が“次”ボタンをクリックした後、画面には図３４に示す“メールフィルタのセットアップ”が現れ、使用者はフィルタリング規則の設定を行うことができる。画面の上部には“連絡者フィルタ”および“主題フィルタ”の二つのオプションが存在し、“連絡者フィルタ”が選択されたとき、画面の左右に二つのボックスがそれぞれ現れる。左のボックスには複数の連絡者（即ち送信者）が表示される。使用者は選択した連絡者をクリックして右側のボックスにドラックしてメールを受信したい連絡者（即ち送信者）を設定することができる。
“主題フィルタ”が選択されたとき、“主題フィルタリング規則のセットアップ”画面が現れ、使用者は受信したいメールのキーワードを空欄に入力することができる。上述のセットアップ処理は処理ユニット７４で行われ、セットアップデータは処理ユニット７４に記録される。上述のセットアップ処理が完了したとき、パーソナルコンピュータ８３は使用者のハンドヘルド型移動体通信装置６２に対してセットアップ処理を行う。セットアップの完了後、ハンドヘルド型移動体通信装置６２はプッシュメールサービスを受けることができる。
【００５９】
図３６のステップ３６１に示すように、ハンドヘルド型移動体通信装置６２がメール通知メッセージを受信したとき、カスタマイズされたメッセージウィンドウ（使用者個人の必要に応じて自らウィンドウの表示内容および方法を編集設定できる）が画面に開き、メールの送信者、メールの主題およびメールのサイズが表示される。同時に“最初のページをダウンロード”および“全てをダウンロード”という二つのオプションがメッセージウィンドウの下部に現れて使用者は選択することができ、メールの内容がダウンロードを行う。
ダウンロードが成功したとき、ステップ３６２に示す画面が生成されてメールの内容が表示される。失敗した場合、ステップ３６３において、再試行するように求められる。さらに、ステップ３６１において、画面の最下部に“通知を閉じる”および“メールボックス”というオプションが更に存在する。“通知を閉じる”オプションをクリックするとメッセージウィンドウは閉じられる。“メールボックス”オプションをクリックすると、ステップ３６４において示すメールボックス画面が現れ、使用者は受信したメールをチェックすることができる。
【００６０】
ハンドヘルド型移動体通信装置６２がメール通知メッセージを受信したとき、着信通知が生成され、使用者にハンドヘルド型移動体通信装置６２のチェックを行うように通知する。着信通知は通知音またはバイブレーションである。使用者は着信通知の形式のカスタマイズまたは編集を行うことができる。
【００６１】
更に、予め通知を送るように環境設定されるのとは別に、ハンドヘルド型移動体通信装置６２は、ハンドヘルド型移動体通信装置６２が通知メッセージを受信したとき、情報サーバ８１からの通知メッセージに関連するＥメールのテキスト（内容）を自動的にダウンロードし、ステップ３６１に示すカスタマイズされたメッセージウィンドウを開き、送信者、主題およびサイズをホームページ画面に表示するように設定することもできる。
【００６２】
図３７に示すように、ハンドヘルド型移動体通信装置６２のホームページ画面１９０の右下角のバーチャルボタン１９１が選択されたとき、“スケジュール”および“フィルタリング規則の設定”などのいくつかのオプションを含むメニュが表示される。“スケジュール”オプションがクリックされたとき、画面に図３８に示す“携帯メールスケジュール”管理画面が現れ、使用者は画面から移動体情報サービス装置６１のリアルタイムクロック７５のメールチェック時間を設定することができ、リアルタイムクロック７５が移動体情報サービス装置６１の処理ユニット７４を起動して時間設定に基づく予め設定された時間に情報サーバ８１のメールデータを検索する。
【００６３】
処理ユニット７４がデータ検索を行う日付および時間の正確性を確保するために、移動体情報サービス装置６１は予め決定された時間にインターネットのクロックサーバと接続され、リアルタイムクロック７５の時間の自動校正が行われる。
【００６４】
図３９に示すように、ステップ３９１において使用者がホームページ画面１９０から“フィルタリング規則の設定”オプションを選択したとき、“送信者”および“主題”を含むオプションが画面の下部に現れる。“送信者”が選択されたとき、ウィンドウ１９２には全ての連絡者のデータが表示され、使用者は選択したい送信者を選択したり、送信者の追加／消去を行ったりすることができる。
【００６５】
“主題”オプションが選択されたとき、ステップ３９３において、多数の主題が表れ、使用者は受信したいメールの内容または主題を選択することができる。更に、使用者はステップ３９４に示すように、内容または主題のキーワードの追加／消去を行うことができる。ステップ３９２、３９３および３９４において設定が完了し、ステップ３９５において“ＯＫ”オプションがクリックされた後、ハンドヘルド型移動体通信装置６２は設定規則が変更されたことを判断し、ステップ３９６において、フィルタリング規則の設定の完了の画面を表示する。
【００６６】
移動体情報サービス装置６１が最初の使用での初期化処理を実行した後、使用者がパーソナルコンピュータ８３を通じて移動体情報サービス装置６１のフィルタリング規則を変更したい場合、図４０のステップ４０１において、パーソナルコンピュータ８３の画面には移動体情報サービス装置６１を検索する画面が表示される（ＬＡＮ放送などを通じて）。移動体情報サービス装置６１を捜し出した後、ステップ４０２において、捜し出した移動体情報サービス装置６１のログイン画面が表示され、使用者は自らのアカウント番号（即ち、携帯番号）およびパスワードを入力して移動体情報サービス装置６１にログインする。その後、ステップ４０３において、パーソナルコンピュータ８３が移動体情報サービス装置６１および入力されたパスワードが正しいと判断したとき、ステップ４０４へと進み、“フィルタ管理”、“メール管理”および“プッシュメールスケジュール管理”という三つのオプションを含むメインページを開く。反対に、ステップ４０３において、パスワードまたは移動体情報サービス装置が正しくないとき、ステップ４０５において、画面には本オペレーションの再試行または取り消しの要求が表示される。
【００６７】
その後、使用者が“フィルタ管理”を選択したとき、図３４、３５に示す画面がもう一度現れ、使用者はフィルタリング規則、意図された連絡者（即ち、送信者）または受信したいメールのキーワードの設定を行うことができる。その後、“次”ボタンをクリックすると、“メール管理”画面が現れ、使用者はメール検索を行うメールサーバ（例えば、Exchange Mail Server、ＰＯＰ３／ＳＭＴＰ Mail Server）の設定を行うことができる。上述の設定処理は処理ユニット７４で行われ、設定データは処理ユニット７４に記録される。
【００６８】
その後、使用者が“ＯＫ”ボタンをクリックすると、パーソナルコンピュータ８３の画面には図３８に示す“プッシュメールスケジュール管理”が現れ、使用者はリアルタイムクロック７５のメールチェック時間を設定することができ、リアルタイムクロック７５はそれに応じて処理ユニット７４を起動して情報サーバ８１のメールデータを検索する。
【００６９】
本実施例の移動体情報サービス装置６１はＥメールを検査し、使用者のハンドヘルド型移動体通信装置６２にショートメッセージを送ってメールサーバのＥメールへのアクセスを通知することができるだけでなく、情報サーバ８１のＲＳＳ（Really Simple Syndication）伝送システムによって提供されるウェブページ情報を検査できる。ここでの情報サーバ８１はウェブサーバである。
【００７０】
ＲＳＳ伝送システムは、ＸＭＬフォーマットに基づくコンテントの伝送システムであり、使用者はＲＳＳ閲覧ソフトウェアを通じて例えば多数のブログから提供される情報または多数のウェブサイト（例えば、Yahoo news）から提供されるニュースなどの全ての購読文章をリアルタイムで読むことができる。
【００７１】
従って、ＲＳＳ伝送システムによって提供されるウェブページの検査およびウェブページ情報の閲覧（ハイパーリンクを通じて）を可能にするために、移動体情報サービス装置６１およびハンドヘルド型移動体通信装置６２にはＲＳＳリーダがインストールされる必要がある。その後、使用者は移動体情報サービス装置６１およびハンドヘルド型移動体通信装置６２の両方に例えばブログウェブサイトなどのウェブページ情報源を設定する必要がある。これは従来技術であり本発明の核心部分ではないので、これ以上の説明は行わない。
【００７２】
このように、移動体情報サービス装置６１のＲＳＳリーダが使用者によって設定されたウェブページを検索した後、上述の内容と同じように、移動体情報サービス装置６１は使用者によって処理ユニット７４のフィルタに設定されたフィルタリング規則（例えば、作家、主題またはテキスト）に基づいて使用者が関心のあるウェブページ情報の検査を行い、メッセージ（ショートメッセージ）を送信してハンドヘルド型移動体通信装置６２の使用者に通知し、同時にハンドヘルド型移動体通信装置６２のＲＳＳリーダを起動し、メッセージ（ショートメッセージ）の内容に基づいて、ＲＳＳリーダは使用者が関心のあるウェブページ情報のみを表示し、使用者はハイパーリンクを経由してウェブページから提供される対応した文章を閲覧できる。
【００７３】
上述の説明から分かるように、本実施例は使用者端において移動体情報サービス装置６１が提供され、使用者が移動体情報サービス装置６１のフィルタリング規則を設定できることによって、移動体情報サービス装置６１は情報サーバ８１の使用者が設定したフィルタリング規則に符合する情報を検索し、電気通信サービスプロバイダを通じて通知メッセージをハンドヘルド型移動体通信装置６２に送信することによって、ハンドヘルド型移動体通信装置６２は、通知メッセージを受信した後、使用者が必要な情報をダウンロードすることができ、ハンドヘルド型移動体通信装置６２は必要でない情報を受信しないだけでなく、ダウンロードに掛かる経費を節約できる。更に、移動体情報サービス装置６１が情報を検査するとき、情報の最初の部分または一部分だけを取得し、情報全体をダウンロードしない。即ち、実際の情報内容は移動体情報サービス装置６１を通過しないので、情報の完全性および機密性が確保される。
【００７４】
上述の詳細な説明は本発明の好適な実施例を示したものであり、本発明の実施範囲を限定するものではなく、本発明の特許請求の範囲および説明内容に基づく簡単な変更および修飾はすべて本発明に含まれる。
【図面の簡単な説明】
【００７５】
【図１】従来技術によるプッシュメールサービスシステムを示す模式図である。
【図２】本発明の一実施例による情報取得方法を示す模式図である。
【図３】本発明の一実施例によるハンドヘルド型移動体通信装置の内部ハードウェアアーキテクチャを示すブロック図である。
【図４】本発明の一実施例によるハンドヘルド型移動体通信装置を使用したメール情報検索方法を示すフローチャート図である。
【図５】本発明の一実施例によるパーソナルコンピュータを通じてのハンドヘルド型移動体通信装置の初期化処理方法を示すフローチャート図である。
【図６】本発明の一実施例よる“Ｅメールアカウントのセットアップ”画面を示す図である。
【図７】本発明の一実施例よる“新規アカウントの追加”画面を示す図である。
【図８】本発明の一実施例よる“ＰＯＰ３アカウントの追加”画面を示す図である。
【図９】本発明の一実施例よる“ｉＮｏｔｅアカウントの追加”画面を示す図である。
【図１０】本発明の一実施例よる“Ｇｏｏｇｌｅ  Ｍａｉｌアカウントの追加”画面を示す図である。
【図１１】本発明の一実施例よる“メールフィルタのセットアップ”画面を示す図である。
【図１２】本発明の一実施例によるハンドヘルド型移動体通信装置のホームページ画面を示す図である。
【図１３】本発明の一実施例によるハンドヘルド型移動体通信装置の画面にＥメール内容を表示した状態を示す図である。
【図１４】本発明の一実施例によるハンドヘルド型移動体通信装置の画面にＥメール内容を表示した状態を示す図である。
【図１５】本発明の一実施例による“メールチェックスケジュール”画面を示す図である。
【図１６】本発明の一実施例による“携帯メールフィルタ”画面を示す図である。
【図１７】本発明の一実施例による“携帯メールフィルタ”画面を示すもう一つの図である。
【図１８】本発明の一実施例による“メール検索”画面を示す図である。
【図１９】本発明の一実施例による“メールアカウント”画面を示す図である。
【図２０】本発明の一実施例による“メールアカウントのセットアップ”画面を示す図である。
【図２１】本発明の一実施例による“ＰＯＰ３アカウントのセットアップ”画面を示す図である。
【図２２】本発明の一実施例による“ＰＯＰ３アカウントのセットアップ”画面を示す図である。
【図２３】本発明の一実施例による“ＰＯＰ３アカウントのセットアップ”画面を示す図である。
【図２４】本発明の一実施例による“ｉＮｏｔｅアカウントセットアップ”画面を示す図である。
【図２５】本発明の一実施例による“フィルタ”、“メールアカウント”、“メールチェックスケジュール”および“バックアップ／セーブ”を含むメニュ画面を示す図である。
【図２６】本発明の一実施例による移動体情報サービスの方法を実行するシステムを示す模式図である。
【図２７】本発明の一実施例による移動体情報サービス装置の内部ハードウェアアーキテクチャを示すブロック図である。
【図２８】本発明の一実施例による移動体情報サービス装置を使用したメール情報検索方法を示すフローチャート図である。
【図２９】本発明の一実施例によるパーソナルコンピュータを通じての移動体情報サービス装置の検索画面を示す図である。
【図３０】本発明の一実施例よる移動体情報サービス装置の使用者情報画面を示す図である。
【図３１】本発明の一実施例よる移動体情報サービス装置の使用者追加画面を示す図である。
【図３２】本発明の一実施例よる移動体情報サービス装置が始めて使用されるときの移動体情報サービス装置の検索方法を示すフローチャート図である。
【図３３】本発明の一実施例よる移動体情報サービス装置が始めて使用されるときのメールアカウントのセットアップ画面を示す図である。
【図３４】本発明の一実施例よる移動体情報サービス装置が始めて使用されるときのメールフィルタのセットアップ画面を示す図である。
【図３５】本発明の一実施例よる移動体情報サービス装置が始めて使用されるときのメールフィルタのセットアップ画面を示すもう一つの図である。
【図３６】本発明の一実施例による移動体情報サービス装置の移動体情報サービス方法を示すフローチャート図である。
【図３７】本発明の一実施例による移動体情報サービス装置のセットアップメニュを示す図である。
【図３８】本発明の一実施例による移動体情報サービス装置の携帯メールスケジュールを示す図である。
【図３９】本発明の一実施例による移動体情報サービス装置を使用したメールフィルタセットアップ方法を示すフローチャート図である。
【図４０】本発明の一実施例によるパーソナルコンピュータを通じての移動体情報サービス装置の検索後を示すフローチャート図である。
【図４１】本発明の一実施例によるパーソナルコンピュータを通じての移動体情報サービス装置のメール管理セットアップ後の画面示す図である。
【符号の説明】
【００７６】
１２０    アイコン
１２１    メッセージウィンドウ
１２２、１２３    矢印
１２４    “リード”ボタン
１４１    仮想ボタン
１４２、１６１    メニュ
１９０    ホームページ画面
１９１    バーチャルボタン
１９２、１９３    ウィンドウ
２０    従来技術による携帯メールサーバ
２１、６２    ハンドヘルド型移動体通信装置
２３、７３    通信ユニット
２４、７４    処理ユニット
２５、７５    リアルタイムクロック
２６、７６    メモリユニット
３１    情報サーバ
３２、８３    パーソナルコンピュータ
６１    移動体情報サービス装置
７７    イーサネット（登録商標）モジュール
７８    電気通信モジュール
８１    情報サーバ
８２    電気通信サービスプロバイダ
【図１】
2007215171.tif 000003
【図２】
2007215171.tif 000004
【図３】
2007215171.tif 000005
【図４】
2007215171.tif 000006
【図５】
2007215171.tif 000007
【図６】
2007215171.tif 000008
【図７】
2007215171.tif 000009
【図８】
2007215171.tif 000010
【図９】
2007215171.tif 000011
【図１０】
2007215171.tif 000012
【図１１】
2007215171.tif 000013
【図１２】
2007215171.tif 000014
【図１３】
2007215171.tif 000015
【図１４】
2007215171.tif 000016
【図１５】
2007215171.tif 000017
【図１６】
2007215171.tif 000018
【図１７】
2007215171.tif 000019
【図１８】
2007215171.tif 000020
【図１９】
2007215171.tif 000021
【図２０】
2007215171.tif 000022
【図２１】
2007215171.tif 000023
【図２２】
2007215171.tif 000024
【図２３】
2007215171.tif 000025
【図２４】
2007215171.tif 000026
【図２５】
2007215171.tif 000027
【図２６】
2007215171.tif 000028
【図２７】
2007215171.tif 000029
【図２８】
2007215171.tif 000030
【図２９】
2007215171.tif 000031
【図３０】
2007215171.tif 000032
【図３１】
2007215171.tif 000033
【図３２】
2007215171.tif 000034
【図３３】
2007215171.tif 000035
【図３４】
2007215171.tif 000036
【図３５】
2007215171.tif 000037
【図３６】
2007215171.tif 000038
【図３７】
2007215171.tif 000039
【図３８】
2007215171.tif 000040
【図３９】
2007215171.tif 000041
【図４０】
2007215171.tif 000042
【図４１】
2007215171.tif 000043
【外国語明細書】
2007215171000001.pdf
2007215171000002.pdf
2007215171000003.pdf
2007215171000004.pdf